(57)【要約】【課題】情報表示装置から表示情報の一部を切り出して無線通信端末へ送ることが可能とする。【解決手段】無線通信端末１０３が情報表示装置１０１上に置かれたことを接触検出部２０１が検出すると、無線通信端末１０３の大きさや向き等を検出し、機器判定部２０２は無線通信端末１０３と無線通信を行なって、無線通信端末１０３の識別情報を検出する。データ決定部２０３は接触検出部２０１が検出した検出情報と、機器判定部２０２が検出した識別情報と機器情報テーブル２０５を用いて、切出し範囲を決定する。データ転送部２０４は、データ決定部２０３が決定した切出し範囲のデータをメモリ２０６から読み出し、無線通信端末１０３に転送する。【選択図】図２
2015092304.tif 000002
【特許請求の範囲】
【請求項１】
表示画面を有する情報表示装置であって、
前記表示画面に表示するデータを記憶するメモリと、
前記表示画面に物が置かれたことを検出し、前記物の大きさや、前記表示画面に対する物の置かれた向きを検出し、検出情報として出力する接触検出部と、
前記検出情報が入力されると、前記物が無線通信可能な無線通信端末であるかを判定し、無線通信端末であった場合には、前記無線通信端末を一意に示す識別情報を前記無線通信端末より取得する機器判定部と、
前記接触検出部が出力する検出情報と、前記機器判定部が取得した識別情報より、前記表示画面における前記無線通信端末の表示画面の領域を判定するデータ決定部と、
前記表示画面上で前記データ決定部が決定した領域のデータを前記メモリより取得し、前記無線通信端末に送信するデータ転送部と
を備えた情報表示装置。
【請求項２】
少なくとも無線通信端末の識別情報と、前記無線通信端末の表示画面サイズを対応づけて記憶する機器情報テーブルを更に備え、
前記データ決定部は、前記機器判定部が取得した識別情報が前記機器情報テーブルに記憶されている場合には、前記機器情報テーブルに記憶されている前記識別情報に対応づけられた前記無線通信端末の表示画面の大きさを用いて、領域を決定する請求項１記載の情報表示装置。
【請求項３】
前記メモリは、少なくとも１つのアイコンデータと、前記アイコンデータの前記情報表示装置の表示画面における表示位置と、前記アイコンデータに対応づけられているプログラムを記録し、
前記データ転送部は、前記データ決定部が決定した領域の中に、前記アイコンデータが存在する場合には、前記アイコンデータと前記アイコンデータに対応づけられているプログラムを前記無線通信端末に送信する請求項１記載の情報表示装置。
【発明の詳細な説明】
【技術分野】
【０００１】
本発明は、情報表示装置に関し、特に、無線通信装置と連携し、情報表示装置上の画像データを切り抜いて無線通信端末に転送する方法および、情報表示装置内のアプリケーションデータを無線通信端末に転送する方法に関する。
【背景技術】
【０００２】
近年、情報表示装置としてタブレット型コンピュータが普及してきており、家庭内や外出先で気軽にＷｅｂ閲覧やアプリケーションを楽しむことが出来る。また、既に普及している無線通信端末とタブレット型コンピュータが連携して、画像などのコンテンツやゲームなどのアプリケーションを共有することが可能となってきている。
【０００３】
タブレット型コンピュータと無線通信端末が連携してコンテンツを共有出来るものとして、無線通信端末で選択された画像をタブレット型コンピュータに送信し、タブレット型コンピュータ上で選択された画像を表示するものが提案されている（例えば、特許文献１参照）。前記特許文献１では、タブレット型コンピュータに無線通信端末が接触しているか否かを検知して、接触している場合には無線通信端末からタブレット型コンピュータに対して選択された貼り付画像を送信し、タブレット型コンピュータでは無線通信端末の接触の状態を表す接触状態情報に応じて添付画像の表示レイアウトを制御している。
【先行技術文献】
【特許文献】
【０００４】
【特許文献１】特開２００７−３１６９２５号公報
【発明の概要】
【発明が解決しようとする課題】
【０００５】
しかしながら、前記従来の構成では、無線通信端末の情報をタブレット型コンピュータへと送るのみであり、タブレット型コンピュータから無線通信端末へと情報を送る手順については開示されていない。また、タブレット型コンピュータから表示情報の一部を切り出して無線通信端末へ送ることが可能では無かった。
【０００６】
本発明は、前記従来の構成を解決するもので、無線通信端末をタブレット型コンピュータに接触させることで、タブレット型コンピュータからの情報の切り出し範囲を確定し、タブレット型コンピュータの情報を無線通信端末へと送ること可能な情報表示装置を提供する。
【課題を解決するための手段】
【０００７】
前記従来の課題を解決するために、本発明の情報表示装置は、表示画面を有する情報表示装置であって、前記表示画面に表示するデータを記憶するメモリと、前記表示画面に物が置かれたことを検出し、前記物の大きさや、前記表示画面に対する物の置かれた向きを検出し、検出情報として出力する接触検出部と、前記検出情報が入力されると、前記物が無線通信可能な無線通信端末であるかを判定し、無線通信端末であった場合には、前記無線通信端末を一意に示す識別情報を前記無線通信端末より取得する機器判定部と、前記接触検出部が出力する検出情報と、前記機器判定部が取得した識別情報より、前記表示画面における前記無線通信端末の表示画面の領域を判定するデータ決定部と、前記表示画面上で前記データ決定部が決定した領域のデータを前記メモリより取得し、前記無線通信端末に送信するデータ転送部とを備える。
【０００８】
また、少なくとも無線通信端末の識別情報と、前記無線通信端末の表示画面サイズを対応づけて記憶する機器情報テーブルを更に備え、前記データ決定部は、前記機器判定部が取得した識別情報が前記機器情報テーブルに記憶されている場合には、前記機器情報テーブルに記憶されている前記識別情報に対応づけられた前記無線通信端末の表示画面の大きさを用いて、領域を決定する。
【０００９】
また、前記メモリは、少なくとも１つのアイコンデータと、前記アイコンデータの前記情報表示装置の表示画面における表示位置と、前記アイコンデータに対応づけられているプログラムを記録し、前記データ転送部は、前記データ決定部が決定した領域の中に、前記アイコンデータが存在する場合には、前記アイコンデータと前記アイコンデータに対応づけられているプログラムを前記無線通信端末に送信する。
【００１０】
なお、本発明は、装置として実現するだけでなく、このような装置が備える処理手段を備える集積回路として実現したり、その装置を構成する処理手段をステップとする方法として実現したり、それらステップをコンピュータに実行させるプログラムとして実現したり、そのプログラムを示す情報、データまたは信号として実現したりすることもできる。そして、それらプログラム、情報、データ及び信号は、ＣＤ−ＲＯＭ等の記録媒体やインターネット等の通信媒体を介して配信してもよい。
【発明の効果】
【００１１】
本発明の情報表示装置によれば、無線通信端末を情報表示装置に接触させることで、使用者が情報表示装置から切り出す情報の範囲を決定したり、転送する情報を選択したりすることができ、情報表示装置から無線通信端末へ情報を簡単に転送することを可能とする。
【図面の簡単な説明】
【００１２】
【図１】本発明の実施の形態１における情報表示装置と無線通信端末の一例を示す図
【図２】本発明の実施の形態１における情報表示装置の一構成例を示すブロック図
【図３】本発明の実施の形態１における機器情報テーブルの一例を示す図
【図４】本発明の実施の形態１における情報表示装置の動作を示すフローチャート
【図５】本発明の実施の形態１における情報表示装置と無線通信端末の動作を示すタイムチャート
【図６】本発明の実施の形態１における画像切り出し前の一例を示す図
【図７】本発明の実施の形態１における画像切り出し後の一例を示す図
【図８】本発明の実施の形態１における別の形態を示す図
【図９】本発明の実施の形態２における情報表示装置と無線通信端末の一例を示す図
【図１０】本発明の実施の形態２におけるアイコンテーブルの一例を示す図
【図１１】本発明の実施の形態２におけるデータ転送部２０４の動作を示すフローチャート
【図１２】本発明の実施の形態２における画像切り出し前の一例を示す図
【図１３】本発明の実施の形態２における画像切り出し後の一例を示す図
【図１４】本発明の実施の形態における他の領域判定方法を示す図
【図１５】本発明の実施の形態における他の領域判定方法を示す図
【図１６】本発明の実施の形態における他の領域判定方法を示す図
【発明を実施するための形態】
【００１３】
以下、本発明の実施の形態について、図面を参照しながら説明する。
【００１４】
（実施の形態１）
図１は、本発明の実施の形態１における情報表示装置と無線通信端末の一例を示す図である。
【００１５】
情報表示装置１０１は、表示画面１０２を有し、タブレット型コンピュータとして使用者のタッチで操作できる端末である。情報表示装置１０１では、画像データの表示の他、アプリケーションとして文章の編集、音楽の再生、ゲームなど様々ことを実行することが可能である。無線通信端末１０３は表示画面１０４を有し、情報表示装置１０１との無線通信機能を有した端末である。無線通信端末１０３は、携帯電話やスマートフォンなどの小画面情報表示装置として使用される。
【００１６】
図２は、本発明の実施の形態１における情報表示装置１０１の一構成例を示すブロック図である。図２において、図１と同じ構成要素については同じ記号を用いるものとする。
【００１７】
図２に示すように、情報表示装置１０１は、接触検出部２０１、機器判定部２０２、データ決定部２０３、データ転送部２０４、機器情報テーブル２０５、メモリ２０６、無線通信インタフェース２０７で構成されている。
【００１８】
図３は、接触検出部２０１の検出動作を示す図である。
【００１９】
図３に示すように、接触検出部２０１は、表示画面１０２上に設置され、例えばタッチパネルのような表示画面１０２と指との接触や、物が置かれたことなどを検出する。接触検出部２０１は、抵抗膜によって圧力を測定したり、人の手の静電容量を測定したり、赤外線で走査することで画面近くの物体の形状を測定する。接触検出部２０１は、物が置かれたことを検知すると、機器判定部２０２とデータ決定部２０３に通知する。また、接触検出部２０１は、測定した物体の形状より、置かれた物の大きさや形状、向きを取得し、検出情報としてデータ決定部２０３に出力する。
【００２０】
機器判定部２０２は、接触検出部２０１から通知を受けると、無線通信インタフェース２０７を介して、置かれた物と無線通信を行う。機器判定部２０２は置かれた物と無線通信が出来た場合、表示画面１０２上に置かれた物は、無線通信端末であると判定し、無線通信端末より、無線通信端末を一意に識別できる識別情報を取得する。
【００２１】
データ決定部２０３は、機器判定部２０２が取得した識別情報と機器情報テーブル２０５を用いて、無線通信端末の画面サイズ等の情報を取得する。データ決定部２０３は、機器情報テーブル２０５で取得した情報と接触検出部２０１から出力された検出情報を用いて、情報表示装置１０１で表示されている画像における切り出し範囲を決定する。
【００２２】
データ転送部２０４は、データ決定部２０３で決定された切り出し範囲のデータを、メモリ２０６から読み出し、無線通信インタフェース２０７を介して無線通信端末へ転送する。
【００２３】
機器情報テーブル２０５は、識別情報と機器の画面サイズや性能等、機器に関する情報を登録している。例えば図３に示すように端末名、識別情報、画面サイズ情報、画面解像度情報を保持している。なお、図３の機器情報テーブルは一例であって、端末の画面サイズや性能が分かる情報であれば、どんな形式でも構わない。また、それ以外の情報が格納されていてもよい。
【００２４】
無線通信インタフェース２０７は、無線通信を行う。メモリ２０６は、データや、アプリケーション等を格納している。
【００２５】
図４は、本発明の実施の形態１における情報表示装置１０１の動作を示すフローチャートである。
【００２６】
情報表示装置１０１において、接触検出部２０１は、上に何か置かれたかどうかを判定し、何か置かれたと判定した場合には、機器判定部２０２とデータ決定部２０３に通知する（ステップＳ４０１）。また、接触検出部２０１は、置かれた物の大きさや形状、置かれている向きなどを検出し、検出情報としてデータ決定部２０３に出力する。接触検出部２０１は、上に何も置かれていないと判定した場合には、ステップＳ４０１に戻る。
【００２７】
機器判定部２０２は、接触検出部２０１より通知を受けると、無線通信インタフェース２０７を介して、識別情報要求信号をブロードキャストで無線送信する（ステップＳ４０２）。機器判定部２０２は、識別情報要求信号に応答する識別情報応答信号を所定時間内に受信したかどうかを判定する（ステップＳ４０３）。機器判定部２０２は、ステップＳ４０３で識別情報要求信号を受信したと判定した場合、受信した識別情報をデータ決定部２０３に出力する。機器判定部２０２は、ステップＳ４０３で、所定時間内に識別情報応答信号を受信しない場合は、無線通信が出来ない物が置かれていると判定し、ステップＳ４０１に戻る。
【００２８】
データ決定部２０３は、機器判定部２０２から識別情報が出力されると、出力された識別情報が機器情報テーブル２０５に登録されているかどうかを判定する（ステップＳ４０４）。データ決定部２０３は、ステップＳ４０４で、識別情報が機器情報テーブルに登録されていると判定した場合は、機器情報テーブルより、識別情報が一致した機器の画面サイズ情報、画面解像度情報等を取得する（ステップＳ４０５）。データ決定部２０３は、ステップＳ４０４で、識別情報が機器情報テーブルに登録されていないと判定した場合には、接触検出部２０１が出力した検出情報のデータを用いる。この場合、機器の画面サイズ等が分からないので、取得できない要素に対しては、予め設定されている所定の値を用いる。
【００２９】
データ決定部２０３は、機器情報テーブル２０５から取得した情報と、接触検出部２０１が出力した検出情報より、情報表示装置１０１に表示されている画像データにおける切り出し領域を決定する（ステップＳ４０６）。データ決定部２０３は、識別情報と切り出し領域の情報をデータ転送部２０４に出力する。
【００３０】
データ転送部２０４は、データ決定部２０３が決定した切り出し領域に基づいたデータをメモリ２０６から読み出し、機器判定部２０２が検出した識別情報を有する機器に無線通信インタフェース２０７を介して、転送する（ステップＳ４０７）。
【００３１】
以下、本実施の形態の具体例を図５〜図７を用いて説明する。
【００３２】
図５は、本発明の実施の形態１における情報表示装置１０１と無線通信端末１０３の動作を示すタイムチャート。図５において、図１と同じ構成要素については同じ記号を用いるものとする。図６は、無線通信端末１０３が情報表示装置１０１の表示画面１０２上に置かれたことを示す、画像切出し前の一例を示す図である。図７は、情報表示装置１０１の表示画面１０２に置かれていた無線通信端末１０３を情報表示装置１０１の外へ移動させたことを示す画像切出し後の一例を示す図である。
【００３３】
まず、図６に示すように、無線通信端末１０３を情報表示装置１０１の表示画面１０２上に置いたとする。この時、情報表示装置１０１において、接触検出部２０１が、無線通信端末１０３が置かれたことを検出すると、機器判定部２０２に物が置かれたことを通知する。また、接触検出部２０１は、無線通信端末１０３の大きさや形状、向きを取得し、データ決定部２０３に送信する（ステップＳ５０１）。
【００３４】
機器判定部２０２は、接触検出部２０１の通知を受けると、無線通信インタフェース２０７を介して、無線通信端末１０３へ識別情報要求信号を送信する（ステップＳ５０２）。
【００３５】
無線通信端末１０３は識別情報要求信号を受信すると、それに対して端末の固有情報を示す識別情報応答信号を情報表示装置１０１へと返信する（ステップＳ５０３）。この場合、返信した識別情報は「０ｘＢＢＢＢＢＢＢＢ」であるとする。機器判定部２０２は、識別情報応答信号を受信すると、受信した識別情報応答信号に含まれる識別情報「０ｘＢＢＢＢＢＢＢＢ」をデータ決定部２０３に出力する。
【００３６】
データ決定部２０３は、機器判定部２０２が出力した識別情報「０ｘＢＢＢＢＢＢＢＢ」が、図３に示す機器情報テーブル２０５に登録されているかどうかを検索する（ステップＳ５０４）。機器判定部２０２は、機器情報テーブル２０５の識別情報欄に「０ｘＢＢＢＢＢＢＢＢ」を見つけると、無線通信端末１０３の機器情報を取得する（ステップＳ５０５）。この場合、図３より、無線通信端末は、機器名が端末Ｂ、画面サイズが４．３インチ、画面解像度が１２８０×７２０であるという機器情報を取得する。
【００３７】
データ決定部２０３は、検出情報に含まれる無線通信端末１０３が表示画面１０２に置かれた向きや、機器情報テーブル２０５より取得した無線通信端末１０３の表示画面１０４の画面サイズなどより、表示画面１０２が表示しているデータにおける切り出し範囲を決定する。データ転送部２０４は、データ決定部２０３が決定した切り出し範囲のデータをメモリ２０６から読み出す（ステップＳ６０６）。
【００３８】
データ転送部２０４は、識別情報を用いて、切り出したデータを無線通信端末１０３に転送する（ステップＳ５０７）。無線通信端末１０３は、情報表示装置１０１より転送されたデータを表示する（ステップＳ５０８）。
【００３９】
図７に、無線通信端末１０３を情報表示装置１０１の外に移動させた場合を示す。図７に示すように、情報表示装置１０１上に無線通信端末１０３を置いた時、情報表示装置１０１の表示画面１０２に表示されているデータにおいて、無線通信端末１０３の表示画面１０４と重なる領域のデータが切り出されていることが分かる。
【００４０】
本実施の形態によれば、情報表示装置に無線通信端末を置くだけで、データを切り出して転送することが可能となる。
【００４１】
また、機器情報テーブルに識別情報が存在しない場合には、図８に示すように、機器情報を有する情報表示装置１０１とネットワーク接続されたサーバ装置８０１に、識別情報に該当する機器情報を問い合わせてもよい。
【００４２】
（実施の形態２）
本実施の形態では、情報表示装置の表示画面に表示されているアイコン上に無線通信端を置いた時の情報表示装置の動作について説明する。本実施の形態では、実施の形態１とデータ転送部２０４との動作が異なるので、データ転送部２０４の動作を中心に説明する。
【００４３】
図９は本実施の形態の情報表示装置と無線通信端末の一例を示す図である。
【００４４】
図９において、図１と同じ構成要素に関しては、同符号を付与する。図９に示すように、表示画面１０２には、複数のアイコンが表示されている。各アイコンは、選択されることにより、自身に設定されている機能を呼び出し、設定されているプログラムを開始する。また、本実施の形態におけるメモリ２０６には、アイコンの表示位置、アイコン名、アイコンデータとアイコンに設定されているプログラムを対応づけたアイコンテーブルと、アイコンデータ、プログラムを記録しているものとする。図１０にアイコンテーブルの一例を示す。アイコンテーブルは図１０に示す以外の構成要素を含んでもよい。
【００４５】
以下、本発明の動作を、図面を用いて説明する。
【００４６】
図１１は本実施の形態におけるデータ転送部２０４の動作を示すフローチャートである。
【００４７】
今、図１２に示すように、無線通信端末１０３を表示画面１０２に表示されているアイコン１０７の上に置いたとする。アイコン１０７は選択されると所定のプログラムを実行するアイコンである。
【００４８】
この時、情報表示装置１０１は実施の形態１と同様の動作を行ない、表示画面１０２上の切出し範囲を決定する（図４のステップＳ４０１〜ステップＳ４０６）。
【００４９】
まず、データ転送部２０４は、アイコンテーブルを用いて、切出し範囲の中に、アイコンが存在するかどうかを判定する（ステップＳ１１０１）。データ転送部２０４は、ステップＳ１１０１において、切出し範囲の中にアイコンが存在する場合は、アイコンに設定されているアイコンデータとプログラムをメモリ２０６から取得する（ステップＳ１１０２）。データ転送部２０４は、ステップＳ１１０１において、切出し範囲の中にアイコンが存在しない場合は、実施の形態１と同様の動作を行ない、データ決定部２０３が決定した切り出し領域に基づいたデータをメモリ２０６から読み出す（ステップＳ１１０３）。
【００５０】
データ転送部２０４は、メモリから取得したデータを機器判定部２０２が検出した識別情報を有する機器に無線通信インタフェース２０７を介して、転送する（ステップＳ１１０４）。図１２の場合、データ転送部２０４は、アイコンテーブルの表示位置より、切出し範囲の中に、アイコン１が存在すると判定する。この場合、データ転送部２０４は、アイコンテーブルより、アイコンデータ「ｉｃｏｎ＿ｄａｔａ１」とプログラム「ｐｒｏｇｒａｍ１」をメモリ２０６より読み出し、無線通信端末１０３に転送する。
【００５１】
無線通信端末１０３では、情報表示装置１０１から転送されてきたデータが、アイコンデータとプログラムである場合は、アイコンデータとプログラムを対応づけて記録し、アイコンデータを表示画面１０４に表示する。
【００５２】
図１３は無線通信端末１０３を情報表示装置１０１の上より移動させた場合を示す図である。図１３に示すように、図１２で無線通信端末１０３を置いていたアイコンデータ「ｉｃｏｎ＿ｄａｔａ１」であるアイコン１０７が無線通信端末の表示画面１０４に表示されている。ここで、アイコン１０７を選択すると、アイコン１０７に設定されているプログラム「ｐｒｏｇｒａｍ１」が開始される。
【００５３】
以上のことから、本実施の形態では、情報表示装置に表示されているアイコン上に無線通信端末を置くだけで、アイコンに設定されているプログラムを無線通信端末に転送することが可能となる。
【００５４】
なお、各実施の形態では、接触検出部２０１として、感圧式のものを用いたが、置かれた物の大きさ、形状、向きを取得できるものであれば、別の方式のものでも構わない。
【００５５】
例えば、図１４に示すように、情報表示装置１０１の表示画面１０２の周囲に、複数の赤外線センサ１０５を設置し、複数の赤外線センサ１０５が出力する圧力式赤外線の光線遮断で無線通信端末の大きさ、形状、向きを取得するものでもよい。
【００５６】
また、図１５（ａ）に示すように、裏面に同図（ｂ）に示すような３つの突起物１３ａ〜１３ｃがある突起物カバー１３０を無線通信端末１０３に装着させてもよい。この場合、図１６（ａ）に示すように、表示画面１０２において左下点を原点Ｏ（０，０）とし、原点Ｏより右方向をＸ軸、上方向をＹ軸として、同図（ｂ）に示すように、突起物１３ａ〜１３ｃのＸＹ座標（Ｘ１，Ｙ１）、（Ｘ２，Ｙ２）、（Ｘ３，Ｙ３）を検出し、予め設定されている突起物１３a〜１３ｃの形状と比較することで、無線通信端末１０３の置かれた位置と傾きを検出する。
【００５７】
また、突起物の代わりに、接触センサが検出できるマーカーを添付してもよい。また、突起物の代わりに、地軸センサを取付けてもよい。
【００５８】
また、本実施の形態では、情報表示装置に置かれた無線通信端末には、自動的にデータを転送していたが、特定の無線通信端末のみデータ転送を許可するようにしてもよい。例えば、機器情報テーブルにデータ転送を許可するかどうかの項目を追加し、許可されている端末のみ、データを転送するようにしてもよい。この場合、無線通信端末の識別情報が機器情報テーブルに登録されているかどうかを調べる際に、データ転送が許可されているかどうかも調べ、許可されていないときは、以降の処理を中断する。また、機器情報テーブルに識別情報が登録されていない無線通信端末には、データ転送を許可しないとしてもよい。
【００５９】
以上のことから、本発明の情報表示装置によれば、無線通信端末を情報表示装置の表示画面に接触させることで転送する情報を選択することができ、情報表示装置から無線通信端末へ情報を簡単にデータ転送することを可能とする。
【００６０】
また、本発明の情報表示装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００６１】
本発明にかかる情報表示装置は、タブレット型コンピュータなど、使用者のタッチ操作できる端末と、前記端末と無線通信可能な無線通信端末とのデータ転送に有用である。
【符号の説明】
【００６２】
１０１  情報表示装置
１０２、１０４  表示画面
１０３  無線通信端末
２０１  接触検出部
２０２  機器判定部
２０３  データ決定部
２０４  データ転送部
２０５  機器情報テーブル
２０６  メモリ
２０７  無線通信インタフェース
【図１】
2015092304.tif 000003
【図２】
2015092304.tif 000004
【図３】
2015092304.tif 000005
【図４】
2015092304.tif 000006
【図５】
2015092304.tif 000007
【図６】
2015092304.tif 000008
【図７】
2015092304.tif 000009
【図８】
2015092304.tif 000010
【図９】
2015092304.tif 000011
【図１０】
2015092304.tif 000012
【図１１】
2015092304.tif 000013
【図１２】
2015092304.tif 000014
【図１３】
2015092304.tif 000015
【図１４】
2015092304.tif 000016
【図１５】
2015092304.tif 000017
【図１６】
2015092304.tif 000018